(57)【要約】【課題】  ケージとケースとの係止状態を解除する際の操作性を向上する。【解決手段】  ケージ２に対するケース１１の着脱方向と平行にケース１１に移動可能に設けられたスライド部材２１と、ケース１１に設けられスライド部材２１を移動自在に支持する支軸２３とを有し係止穴１９とロック部１７との係止状態を解除するためのロック解除機構２０を備える。スライド部材２１は、弾性変位可能に設けられて係止状態を解除する方向にばね板部１８を弾性変位させるための作動片２８と、スライド部材２１の移動方向に沿って設けられ支軸２３が挿通される支軸受け穴３２とを有する。そして、作動片２８には、ケース１１に対向する対向面に突起３４が設けられ、ケース１１には、突起３４が係合されることで作動片２８によってばね板部１８を弾性変位させるための凸部３５が設けられる。【選択図】  図９
2005189684.tif 000002
【特許請求の範囲】
【請求項１】
光通信するための通信手段が内蔵されたケースを有し、該ケースには、該ケースが装着されるケージ側に設けられたばね板部の係止穴に係止されるロック部が設けられている光モジュールにおいて、
前記ケージに対する前記ケースの着脱方向と平行に前記ケースに移動可能に設けられたスライド部材と、前記ケースに設けられ前記スライド部材を移動自在に支持する支軸とを有し前記係止穴と前記ロック部との係止状態を解除するためのロック解除手段を備え、
前記スライド部材は、弾性変位可能に設けられて前記係止状態を解除する方向に前記ばね板部を弾性変位させるための作動片と、該スライド部材の移動方向に沿って設けられ前記支軸が挿通される支軸受け穴とを有し、
前記作動片には、前記ケースに対向する対向面に突起が設けられ、
前記ケースには、前記突起が係合されることで前記作動片によって前記ばね板部を弾性変位させるための凸部が設けられていることを特徴とする光モジュール。
【請求項２】
前記スライド部材の前記作動片には、前記スライド部材が前記ケースから引き出されたときに、前記ケースに係合されることで前記スライド部材の移動を規制するための移動規制部が設けられている請求項１に記載の光モジュール。
【請求項３】
光通信するための通信手段が内蔵されたケースを有し、該ケースには、該ケースが装着されるケージ側に設けられたばね板部の係止穴に係止されるロック部が設けられている光モジュールにおいて、
前記ケージに対する前記ケースの着脱方向と平行に前記ケースに移動可能に設けられたスライド部材を有し、前記係止穴と前記ロック部との係止状態を解除するためのロック解除手段を備え、
前記スライド部材は、弾性変位可能に設けられて前記係止状態を解除する方向に前記ばね板部を弾性変位させる作動片を有し、
前記作動片には、前記スライド部材が前記ケースから引き出されたときに、前記ケースに係合されることで前記スライド部材の移動を規制するための移動規制部と、前記ケースに対向する対向面に設けられた突起とを有し、
前記ケースには、前記突起が係合されることで前記作動片によって前記ばね板部を弾性変位させるための凸部が設けられていることを特徴とする光モジュール。
【請求項４】
前記スライド部材は、前記支軸受け穴の一端に前記支軸が位置されたときに、前記突起が前記凸部に係合され、前記支軸受け穴の他端に前記支軸が位置されたとき、前記凸部と前記突起との係合状態が解除される請求項１ないし３のいずれか１項に記載の光モジュール。
【請求項５】
前記ケースには、底面に凹部が設けられ、該凹部の底面上に前記凸部が設けられている請求項１ないし４のいずれか１項に記載の光モジュール。
【請求項６】
前記スライド部材に回動自在に設けられ前記スライド部材を移動操作するためのレバーを備え、
前記スライド部材には、前記レバーの回動位置を規制するためのレバー規制部が設けられている請求項１ないし５のいずれか１項に記載の光モジュール。
【請求項７】
前記レバーには、前記ケースに当接させた状態で前記ケースに係止される係止部が設けられ、
前記ケースには、前記レバーの前記係止部が係止される係止溝が設けられている請求項６に記載の光モジュール。
【請求項８】
光通信するための通信手段が内蔵されたケースを有し、該ケースには、該ケースが装着されるケージ側に設けられたばね板部の係止穴に係止されるロック部が設けられている光モジュールと、該光モジュールが装着された前記ケージとのロック状態を解除する方法であって、
前記光モジュールは、前記ケージに対する前記ケースの着脱方向と平行に前記ケースに移動可能に設けられたスライド部材と、前記ケースに設けられ前記スライド部材を移動自在に支持する支軸とを有し、前記係止穴と前記ロック部との係止状態を解除するためのロック解除手段を備え、
前記スライド部材の移動方向に設けられた支軸受け穴に沿って前記支軸を移動させることで、前記スライド部材を移動するステップと、
前記スライド部材に弾性変位可能に設けられた作動片が有する突起と、前記ケースに設けられた凸部とを係合させることで、前記ばね板部を弾性変位させて前記係止状態を解除するステップと、
を有する、光モジュールとケージとのロック状態を解除する方法。
【請求項９】
光通信するための通信手段が内蔵されたケースを有し、該ケースには、該ケースが装着されるケージ側に設けられたばね板部の係止穴に係止されるロック部が設けられている光モジュールと、該光モジュールが装着された前記ケージとのロック状態を解除する方法であって、
前記光モジュールは、前記ケージに対する前記ケースの着脱方向と平行に前記ケースに移動可能に設けられたスライド部材を有し、前記係止穴と前記ロック部との係止状態を解除するためのロック解除手段を備え、
前記スライド部材に弾性変位可能に設けられた作動片が有する突起と、前記ケースに設けられた凸部とを係合させることで、前記ばね板部を弾性変位させて前記係止状態を解除するステップと、
前記スライド部材が前記ケースから引き出されたときに、前記スライド部材の前記作動片が前記ケースに係合されることで前記スライド部材の移動が規制されるステップと、
を有する、光モジュールとケージとのロック状態を解除する方法。
【発明の詳細な説明】
【技術分野】
【０００１】
本発明は、光通信を行うための光モジュールに関し、特に、光モジュールのケースが装着されるケージにケースをロックすることが可能な光モジュールに関する。また、本発明は、光モジュールとケージとのロック状態を解除する方法に関する。
【背景技術】
【０００２】
従来から、光通信を行う光モジュールとして、光ファイバによる通信を行うために光電変換を行う発光素子や受光素子を備えた光トランシーバモジュールが知られている。
【０００３】
このような光トランシーバモジュールには、発光素子や受光素子を含む光ユニットがケース内に内蔵され、基板上に設置されたケージ内に着脱可能に装着されるように構成されているタイプのものがある。ケージ内には基板に接続された電気コネクタが設けられており、光トランシーバモジュールがケージ内に装着されたときに、光トランシーバの接続端子がその電気コネクタに接続されるように構成されている。このように構成された光トランシーバモジュールは、光ファイバとの間で送受する光信号と、基板との間で送受する電気信号とを互いに変換することで光通信を可能にしている。
【０００４】
しかしながら、光トランシーバモジュールの動作中に光トランシーバモジュールがケージ内から引き抜かれた場合には、通信が途中で中断してしまうだけでなく、光トランシーバモジュールを含む通信装置が故障してしまうおそれがある。そのため、光トランシーバモジュールは少なくとも動作中はケージ内に確実に固定されている必要がある。
【０００５】
例えば、近年、各社から提供される光トランシーバに互換性を持たせるために、ＳＦＰ（Ｓｍａｌｌ Ｆｏｒｍ−ｆａｃｔｏｒ Ｐｌｕｇｇａｂｌｅ）トランシーバのＭＳＡ（Ｍｕｌｔｉ Ｓｏｕｒｃｅ Ａｇｒｅｅｍｅｎｔ）と呼ばれる標準規格が業界標準化団体によって設けられ、ＳＦＰトランシーバとこれが装着されるケージの形状や寸法が規定されている。このＳＦＰのＭＳＡ規格によれば、光トランシーバの底面に突起状のロック部が設けられ、ケージにはそのロック部が係止する係止穴が形成されたばね板部が設けられる。
【０００６】
このため、光トランシーバモジュールがケージ内に装着されたときには、光トランシーバモジュールのロック部がケージの係止穴に係止され、光トランシーバモジュールをケージ内にロックすることができるように構成されている。その一方で、光トランシーバモジュールをケージから取り外す際には、何らかの手段によってロック部をばね板部の係止穴から外してロック解除を行う必要がある。この種の従来の光トランシーバとしては、ロック解除をするためのイジェクタを備える構成が開示されている（例えば特許文献１参照。）。
【０００７】
図１１は、特許文献１に開示された従来の光トランシーバを、その下面を上に向けた状態で示す斜視図である。
【０００８】
図１１に示す従来の光トランシーバは、発光素子や受光素子を収容する、ロック部１１４が形成されたハウジング１０１と、ロック部１１４をケージのばね板部の係止穴（不図示）から外すためのイジェクタ１７０とを有している。イジェクタ１７０は、ハウジング１０１の下部１１１に形成されたイジェクタシート内に収容され、イジェクタ１７０の後端に設けられた押圧部１７９を押すことで、イジェクタ１７０の先端部をイジェクタシート内からロック部１１４の近傍へ突出させることができるように構成されている。イジェクタ１７０の先端部は、光トランシーバのロック部１１４がケージのばね板部の係止穴に係止しているときに突出させられると、ばね板部を撓ませてロック部１１４と係止穴との係止状態を解除するようになっている。
【０００９】
したがって、この光トランシーバは、イジェクタ１７０の押圧部１７９を図中の矢印ｇ方向に押してその先端部をロック部１１４の近傍へ突出させ、ケージのばね板部の係止穴とロック部１１４との係止状態を解除することで、ケージ内から取り出すことが可能になる。
【特許文献１】米国特許第６，４３４，０１５号明細書
【発明の開示】
【発明が解決しようとする課題】
【００１０】
しかしながら、ＭＳＡ規格によるＳＦＰ光トランシーバは、高さが１０ｍｍ程度、幅が１４ｍｍ程度に構成されており、モジュール自体が小型であるため、このような光トランシーバが備えるイジェクタ１７０（図１１参照）は微細な部品となる。そのため、図１１に示したイジェクタ１７０の押圧部１７９は、指先や、場合によっては爪で押し込み操作する必要がある。しかし、光トランシーバがケージ内に装着された状態では、ケージが搭載されている基板と光トランシーバの下面との間にほとんど隙間がないので、イジェクタ１７０の押圧部１７９に指先がうまく届かないこともあり、ロック解除のための操作を行い難いという問題があった。
【００１１】
また、図１１に示した光トランシーバは、ケージからの取り出し方向が図１１中の矢印ｈ方向であり、この方向がイジェクタ１７０の押し込み方向（矢印ｇ方向）と反対の方向である。つまり、この従来の光トランシーバは、ロック解除のための操作方向と、ケージから光トランシーバを取り出すための操作方向とが互いに逆方向になっており、それらの操作を互いに独立して行わなければならない。そのため、この光トランシーバは、ロックを解除してケージから光トランシーバを取り出すまでの操作が煩わしいという問題があった。
【００１２】
そこで、本発明は、ケージとケースとの係止状態を解除する際の操作性を向上することができる光モジュール、および光モジュールとケージとのロック状態を解除する方法を提供することを目的とする。
【課題を解決するための手段】
【００１３】
上述した目的を達成するため、本発明に係る光モジュールは、光通信するための通信手段が内蔵されたケースを有し、このケースには、このケースが装着されるケージ側に設けられたばね板部の係止穴に係止されるロック部が設けられている光モジュールにおいて、ケージに対するケースの着脱方向と平行にケースに移動可能に設けられたスライド部材と、ケースに設けられスライド部材を移動自在に支持する支軸とを有し係止穴とロック部との係止状態を解除するためのロック解除手段を備える。スライド部材は、弾性変位可能に設けられて係止状態を解除する方向にばね板部を弾性変位させるための作動片と、スライド部材の移動方向に沿って設けられ支軸が挿通される支軸受け穴とを有する。そして、作動片には、ケースに対向する対向面に突起が設けられ、ケースには、突起が係合されることで作動片によってばね板部を弾性変位させるための凸部が設けられる。
【００１４】
以上のように構成した本発明に係る光モジュールは、スライド部材を移動操作することによって、作動片の突起がケースの凸部に係合され、凸部によって作動片を弾性変位させる。そして、弾性変位された作動片は、ばね板部を、係止穴とロック部との係止状態を解除する方向に弾性変位させる。また、スライド部材は、支軸受け穴内に挿通された支軸によって、スライド部材の移動範囲が確実に規制されるため、ケースから引き出されたときにケースから脱落することが確実に防止される。さらに、スライド部材は、支軸受け穴に挿通された支軸によって移動範囲が確実に規制されることで、作動片の突起とケースの凸部との係合状態および係合解除状態が円滑に切り替えられ、作動片によるロック部と係止穴との係止状態を解除する動作の信頼性が充分に確保される。したがって、光モジュールによれば、ケースに対してスライド部材を移動操作することで、ケージとケースとの係止状態を解除する動作と、ケージ内から光モジュールを取り出す動作とが連続的に行われる。
【００１５】
また、スライド部材の作動片には、スライド部材がケースから引き出されたときに、ケースに係合されることでスライド部材の移動を規制するための移動規制部が設けられることが好ましい。これによって、スライド部材がケースから引き出されたときに、作動片の移動規制部がケースに係合されることで、スライド部材がケースから脱落することが更に確実に防止される。
【００１６】
また、本発明に係る他の光モジュールは、光通信するための通信手段が内蔵されたケースを有し、このケースには、このケースが装着されるケージ側に設けられたばね板部の係止穴に係止されるロック部が設けられている光モジュールにおいて、ケージに対するケースの着脱方向と平行にケースに移動可能に設けられたスライド部材を有し、係止穴とロック部との係止状態を解除するためのロック解除手段を備える。スライド部材は、弾性変位可能に設けられて係止状態を解除する方向にばね板部を弾性変位させる作動片を有する。そして、作動片には、スライド部材がケースから引き出されたときに、ケースに係合されることでスライド部材の移動を規制するための移動規制部と、ケースに対向する対向面に設けられた突起とを有する。また、ケースには、突起が係合されることで作動片によってばね板部を弾性変位させるための凸部が設けられる。
【００１７】
以上のように構成された本発明に係る光モジュールは、スライド部材を移動操作することによって、作動片の突起がケースの凸部に係合され、凸部によって作動片を弾性変位させる。そして、弾性変位された作動片は、ばね板部を、係止穴とロック部との係止状態を解除する方向に弾性変位させる。また、スライド部材は、ケースから引き出されたときに、作動片の移動規制部がケースに係合されることで、ケースから脱落することが確実に防止される。
【００１８】
また、本発明に係る光モジュールは、スライド部材に回動自在に設けられスライド部材を移動操作するためのレバーを備え、スライド部材には、レバーの回動位置を規制するためのレバー規制部が設けられることが好ましい。これによって、スライド部材に対して回動されたレバーが所定の位置で停止されるため、レバーによってスライド部材を移動操作する際の操作性が向上される。
【００１９】
また、レバーには、ケースに当接させた状態でケースに係止される係止部が設けられ、ケースには、レバーの係止部が係止される係止溝が設けられることが好ましい。これによって、例えばレバーを使用しないときに、レバーの係止部をケースの係止溝に係止させることで、ケースに対してレバーが遊動することが防止される。
【００２０】
また、本発明に係る光モジュールとケージとのロック状態を解除する方法は、光通信するための通信手段が内蔵されたケースを有し、このケースには、このケースが装着されるケージ側に設けられたばね板部の係止穴に係止されるロック部が設けられている光モジュールと、この光モジュールが装着されたケージとのロック状態を解除する方法であって、光モジュールは、ケージに対するケースの着脱方向と平行にケースに移動可能に設けられたスライド部材と、ケースに設けられスライド部材を移動自在に支持する支軸とを有し、係止穴とロック部との係止状態を解除するためのロック解除手段を備える。そして、本発明の方法は、スライド部材の移動方向に設けられた支軸受け穴に沿って支軸を移動させることで、スライド部材を移動するステップと、
スライド部材に弾性変位可能に設けられた作動片が有する突起と、ケースに設けられた凸部とを係合させることで、ばね板部を弾性変位させて係止状態を解除するステップとを有する。
【００２１】
また、本発明に係る光モジュールとケージとのロック状態を解除する他の方法は、光通信するための通信手段が内蔵されたケースを有し、このケースには、このケースが装着されるケージ側に設けられたばね板部の係止穴に係止されるロック部が設けられている光モジュールと、この光モジュールが装着されたケージとのロック状態を解除する方法であって、光モジュールは、ケージに対するケースの着脱方向と平行にケースに移動可能に設けられたスライド部材を有し、係止穴とロック部との係止状態を解除するためのロック解除手段を備える。そして、本発明の方法は、スライド部材に弾性変位可能に設けられた作動片が有する突起と、ケースに設けられた凸部とを係合させることで、ばね板部を弾性変位させて係止状態を解除するステップと、
スライド部材がケースから引き出されたときに、スライド部材の作動片がケースに係合されることでスライド部材の移動が規制されるステップとを有する。
【発明の効果】
【００２２】
上述したように本発明によれば、ケージとケースとの係止状態を解除する際の操作性が向上され、ケージとケースとの係止状態を解除する動作と、ケージ内から光モジュールを取り出す動作とを簡単な操作で行うことができる。
【発明を実施するための最良の形態】
【００２３】
以下、本発明の具体的な実施形態について、図面を参照して説明する。
【００２４】
図１は、本実施形態の光モジュールがケージに対して着脱操作される状態を光モジュールの底面側から示す斜視図であって、図１（ａ）に、光モジュールがケージに装着された状態を示し、図１（ｂ）に、光モジュールがケージから取り外された状態を示している。図２は光モジュールを示す図であって、図２（ａ）に平面図、図２（ｂ）に側面図、図２（ｃ）に底面図をそれぞれ示している。
【００２５】
図１（ａ）および図１（ｂ）に示すように、本実施形態の光モジュール１は、例えば通信装置が備えるマザーボード等の基板（不図示）に設けられたケージ２に対して着脱可能に構成されている。そして、光モジュール１は、ケージ２内に平行な姿勢で装着された際に、ケージ２に係止されたロック状態になり、基板側に設けられた電気コネクタ（不図示）に接続される。
【００２６】
光モジュール１は、光通信するための通信手段である各種光学素子が内蔵され、ケージ２に係止されるロック部１７が設けられたケース１１を備えている。また、この光モジュール１は、ケース１１のロック部１７とケージ２とのロック状態を解除するためのロック解除手段であるロック解除機構２０を備えている。
【００２７】
ケース１１内には、図示しないが、発光素子としてＬＤ（レーザダイオード）や、受光素子としてＰＤ（フォトダイオード）や、レンズ等の光学素子を有する光ユニットが設けられている。また、ケース１１には、図２（ｃ）に示すように、基板側の電気コネクタに接続される接続端子１３が設けられており、ケージ２内に沿って挿入される後端側の底面に、接続端子１３を露出させる開口１４が形成されている。
【００２８】
ケース１１には、図２（ａ）に示すように、前端面と天面とに跨って、光ファイバケーブルのコネクタ（不図示）が着脱可能に接続される２つの入力側接続口１５ａおよび出力側接続口１５ｂがそれぞれ形成されている。入力側接続口１５ａには、外部から光モジュール１に光信号を入力する入力側光ファイバケーブルのコネクタが接続され、出力側接続口１５ｂには、光モジュール１から外部に光信号を出力するための出力側光ファイバケーブルのコネクタが接続される。
【００２９】
図３は、ケース１１を示す図であって、図３（ａ）に底面図、図３（ｂ）に側面図、図３（ｃ）に図３（ａ）におけるＡ−Ａ断面図をそれぞれ示している。
【００３０】
ケース１１の底面には、図３（ａ）および図３（ｃ）に示すように、凹部１６が設けられており、この凹部１６内の底面上に、ケージ２側に係止される三角柱状のロック部１７が突出されて設けられている。このロック部１７には、図３（ｂ）に示すように、ケージ２に進入する進入端側に、ケージ２に対してケース１１を挿入するに従って凹部１６内の底面からの突出量が次第に大きくなるような傾斜面１７ａが形成されている。
【００３１】
一方、ケージ２には、図１（ａ）および図１（ｂ）に示すように、ケース１１のロック部１７が係止されるばね板部１８が弾性変位可能に形成されている。このばね板部１８には、ロック部１７が挿入される三角状の係止穴１９が設けられている。したがって、ケース１１は、ケージ２に挿入されるのに従って、ロック部１７の傾斜面１７ａによって、ばね板部１８が円滑に弾性変位されて、ケージ２に装着されたときに、ロック部１７が係止穴１９内に係止される。
【００３２】
ロック解除機構２０は、ケース１１側のロック部１７とケージ２側のばね板部１８との係止状態を解除するためのスライド部材２１と、このスライド部材２１を図１中矢印ａ方向およびｂ方向に移動操作するためのレバー２２と、スライド部材を矢印ａ，ｂ方向に移動自在に支持するための支軸２３とを有している。
【００３３】
図４は、スライド部材２１を示す図であって、図４（ａ）に平面図、図４（ｂ）に側面図、図４（ｃ）に正面図をそれぞれ示している。
【００３４】
スライド部材２１は、例えば、ＰＰＳ（ポリフェニレンサルファイド）等の樹脂材や、弾性を有する金属材等によって形成されている。スライド部材２１は、図４（ａ）〜図４（ｃ）に示すように、レバー２２が取り付けられる基端部２６と、ケース１１に移動自在に支持されるスライド部２７と、ばね板部１８を弾性変位させるための一組の作動片２８とを有している。
【００３５】
基端部２６は、図１中矢印ａ，ｂ方向であるスライド部材２１の移動方向に直交し、かつケース１１の底面に平行な幅方向（以下、単に幅方向と称する。）に亘って、レバー２２を回動自在に支持する支持穴３１が設けられている。
【００３６】
スライド部２７は、図４（ｂ）に示すように、基端部２６に一体に設けられており、図２（ｃ）のように支軸２３が矢印ａ，ｂ方向に移動自在に挿通される長穴状の支軸受け穴３２が設けられている。また、支軸２３は、支軸受け穴３２内に挿通されて、ケース１１に設けられた軸穴に両端がそれぞれ支持されている。
【００３７】
また、図２（ｃ）および図３（ａ）に示すように、ケース１１の底面には、スライド部２７の移動方向を案内するためのガイド溝３３が設けられており、このガイド溝３３の対向する両側面に沿ってスライド部２７が摺動されることで、ケース１１に対する各作動片２８の相対位置が位置決めされる。また、このガイド溝３３の深さは、スライド部２７の厚みとほぼ等しくされており、ケース１１の底面からスライド部２７が突出されないように構成されている。
【００３８】
各作動片２８は、図４（ａ）に示すように、対向間にロック部１７が進入可能な所定の間隔をあけて、スライド部２７に基端が一体に形成されており、ばね板部１８の厚み方向に弾性変位可能に構成されている。これら各作動片２８の先端には、ケース１１の凹部１６の底面に対向する対向面上に、ばね板部１８を弾性変位させるための略台形状をなす突起３４が設けられている。
【００３９】
一方、ケース１１には、図３（ａ）および図３（ｃ）に示すように、凹部１６の底面上に、ロック部１７を間に挟んで対向する位置に、スライド部材２１の各作動片２８の突起３４が係合される略台形状の凸部３５がそれぞれ設けられている。
【００４０】
なお、各作動片２８には、例えばばね板部１８を弾性変位させる際の変位量を微調整する等の必要に応じて、ばね板部１８に対向する対向面上に、ばね板部１８に当接される突起が設けられてもよく、突起の突出量によってばね板部１８の変位量を微調整することも可能とされる。
【００４１】
また、スライド部材２１の各作動片２８の先端側には、図４（ａ）および図４（ｂ）に示すように、ガイド溝３３の側面に摺動される一側面に、スライド部材２１が矢印ｂ方向に移動されたときに、ケース１１側に係合される移動規制部である抜け止め面３７が形成されている。この抜け止め面３７は、作動片２８の側面にほぼ直交されて形成されている。
【００４２】
一方、ケース１１には、図３（ａ）に示すように、ガイド溝３３に隣接する位置に、スライド部材２１の移動を規制するためのストッパ面３８が切り欠かれて形成されている。このストッパ面３８は、ガイド溝３３の側面に対して鋭角をなして形成されている。したがって、スライド部材２１は、ケース１１に対して矢印ｂ方向に移動操作された際に、各作動片２８の抜け止め面３７がストッパ面３８に良好に突き当てられることで、移動が規制されてケース１１から脱落することが防止されている。
【００４３】
そして、ケース１１に移動可能に支持されたスライド部材２１は、作動片２８の突起３４が凸部３５に係合されていない状態で、作動片２８が凹部１６内から突出されることなく、作動片２８とばね板部１８とが摺接されないように構成されている。
【００４４】
図１（ｂ）等に示すレバー２２は、例えばステンレス等の金属材や、ＰＰＳ等の樹脂材によって略Ｕ字状に形成されており、両端を折り曲げて形成された軸部が、図４（ａ）等に示すスライド部材２１の基端部２６の支持穴３１に挿入され、図１（ｂ）中矢印ｃ方向およびｄ方向に回動自在に支持されている。
【００４５】
また、図５に示すように、スライド部材２１には、基端部２６の幅方向の両側に、レバー２２の回動位置を規制するためのレバー規制部であるレバー規制片４１がそれぞれ設けられてもよい。これによって、レバー２２は、レバー２２が矢印ｄ方向に回動されたときにレバー規制片４１に当接され、このレバー規制片４１によって所定の位置に保持されるため、レバー２２が必要以上に回動されることを防止することができる。
【００４６】
また、レバー２２は、必要に応じて、ケース１１に対して収容できる構成されてもよい。このような構成としては、例えば図６に示すように、レバー２２には、ケース１１に係止される係止部４３が、レバー２２の一部を折り曲げて形成され、またケース１１の天面には、レバー２２の係止部４３が係止される係止溝４４が設けられる。これによって、例えばレバーを使用しないときに、ケース１１に対してレバー２２が遊動することが防止される。
【００４７】
また、図示しないが、レバー２２には、必要に応じて、光モジュール１の例えば伝送距離毎の各仕様別に、色分けされた表示部材が設けられてもよい。
【００４８】
以上のように構成された光モジュール１について、ロック解除機構２０によってケース１１とケージ２との係止状態を解除する動作を図面を参照して説明する。
【００４９】
光モジュール１は、図７に示すように、ケージ２内にケース１１が装着されているとき、ロック部１７と係止穴１９とが係止状態にされて、レバー２２がケース１１の周面に沿って配置されている。このとき、スライド部材２１の各作動片２８は、突起３４が凸部３５から離間された位置に移動されており、凹部１６の底面とほぼ平行な姿勢にされ、ばね板部１８との間に間隙が確保されている。
【００５０】
まず、図８に示すように、ロック解除機構２０は、ケース１１の周面に沿って配置されているレバー２２が矢印ｄ方向に回動操作されることで、スライド部材２１を容易に引き出し操作可能な状態にされる。
【００５１】
つぎに、図９に示すように、レバー２２を把持して矢印ｂ方向に引き出し操作することによって、スライド部材２１が矢印ｂ方向に移動される。スライド部材２１は、矢印ｂ方向に移動されるのに伴って、スライド部２７の支軸受け穴３２内に沿って支軸２３が一端側から他端側に移動されて、作動片２８の突起３４が凸部３５に係合される。
【００５２】
そして、スライド部材２１は、矢印ｂ方向の移動に伴って、作動片２８の突起３４が凸部３５に沿って摺動することによって、作動片２８の基端を支点として弾性変位されて、作動片２８が凹部１６内から徐々に突出される。各作動片２８は、凹部１６内から突出する方向に弾性変位されることで、ばね板部１８を、ロック部１７と係止穴１９との係止状態を解除する方向に弾性変位させる。
【００５３】
スライド部材２１は、支軸２３が支軸受け穴３２の他端側に移動されたときに、作動片２８の突起３４が凸部３５の頂上を乗り越えた頂上近傍に停止されて、突起３４と凸部３５との係合状態が保持される。このため、ばね板部１８は、作動片２８によって、係止穴１９とロック部１７との係止状態が解除された姿勢が維持されており、ケージ２内からケース１１を引き出すことが可能になる。
【００５４】
なお、作動片２８の突起３４が凸部３５の頂上近傍に係合された係合状態で、凹部１６内から突出された作動片２８の凹部１６の底面からの位置は、凹部１６の底面からのロック部１７の突出量とほぼ等しくされており、ばね板部１８を必要最小限で円滑に弾性変形させて、ロック部１７と係止穴１９との係止状態が解除される。
【００５５】
続いて、図１０に示すように、スライド部材２１は、レバー２２を介して更に矢印ｂ方向に移動操作されることで、ケージ２内からケース１１が引き出される。ケージ２内からケース１１が引き出され、ロック部１７が係止穴１９から離間されたとき、ばね板部１８は、弾性力によって平坦な状態に復帰する。また、スライド部材２１は、矢印ｂ方向に移動されたときに、支軸受け穴３２の一端に支軸２３が当接するとともに、作動片２８の抜け止め面３７がケース１１のストッパ面３８に突き当てられることで、ケース１１から脱落することが確実に防止されている。
【００５６】
ロック解除機構２０によれば、スライド部材２１が、スライド部２７がケース１１のガイド溝３３の対向する両側面に沿って摺動されて案内されることで、凸部３５に対する突起３４の幅方向の相対位置が位置決めされている。また、スライド部材２１は、スライド部２７の支軸受け穴３２に沿って支軸２３が移動することで、矢印ａ，ｂ方向の移動範囲が確実に規制されており、作動片２８の突起３４と凸部３５との移動方向の相対位置が確実に位置決めされている。
【００５７】
したがって、スライド部材２１は、矢印ａ，ｂ方向の移動に伴って、作動片２８の突起３４と凸部３５との係合状態および係合解除状態が円滑に切り替えられ、作動片２８によるロック部１７と係止穴１９との係止状態を解除する動作の信頼性が充分に確保されている。
【００５８】
上述したように、光モジュール１は、レバー２２によってスライド部材２１をケース１１から引き出し操作することで、ケース１１とケージ２との係止状態を容易かつ確実に解除させ、ケージ２内からケース１１を容易に取り外すことができる。すなわち、ロック解除機構２０によれば、ケージ２とケース１１との係止状態を解除する動作と、ケージ２内から光モジュール１を取り出す動作とが連続的に行われる。
【００５９】
一方で、光モジュール１がケージ２内に装着される場合には、ケース１１がケージ２内に挿入されて矢印ａ方向に移動されるのに従って、ケース１１側のロック部１７の傾斜面１７ａによってケージ２側のばね板部１８が徐々に弾性変位され、ロック部１７が係止穴１９内に係止されることで、ケース１１がケージ２内に装着される。
【００６０】
上述したように、光モジュール１は、スライド部材２１を有するロック機構２０を備えることによって、ケージ２とケース１１との係止状態を解除する際の操作性が向上され、ケージ２とケース１１との係止状態を解除する動作と、ケージ２内から光モジュール１を取り出す動作とを簡単な操作で行うことができる。
【００６１】
また、光モジュール１は、ロック解除機構２０の構成が、従来の構成に比較して、スライド部材２１の形状やスライド部材２１を移動可能に支持する支持構造等が簡素化されるため、製造コストの削減、生産性の向上を図ることができる。
【図面の簡単な説明】
【００６２】
【図１】本実施形態に係る光モジュールを示す斜視図である。
【図２】前記光モジュールを示す図である。
【図３】ケースを示す図である。
【図４】スライド部材を示す図である。
【図５】他のスライド部材の一例を示す斜視図である。
【図６】他のレバーの一例を示す側面図である。
【図７】光モジュールがケージ内に装着されている状態を示す側面図である。
【図８】レバーが回動操作された状態を示す側面図である。
【図９】ケースとケージとのロック状態がスライド部材によって解除された状態を示す側面図である。
【図１０】光モジュールがケージ内から引き出された状態を示す側面図である。
【図１１】従来の光モジュールを示す斜視図である。
【符号の説明】
【００６３】
１  光モジュール
２  ケージ
１１  ケース
１３  接続端子
１４  開口
１６  凹部
１７  ロック部
１８  ばね板部
１９  係止穴
２０  ロック解除機構
２１  スライド部材
２２  レバー
２３  支軸
２６  基端部
２７  スライド部
２８  作動片
３２  支軸受け穴
３３  ガイド溝
３４  突起
３５  凸部
３７  抜け止め面
３８  ストッパ面
４１  レバー規制片
４３  係止部
４４  係止溝
【図１】
2005189684.tif 000003
【図２】
2005189684.tif 000004
【図３】
2005189684.tif 000005
【図４】
2005189684.tif 000006
【図５】
2005189684.tif 000007
【図６】
2005189684.tif 000008
【図７】
2005189684.tif 000009
【図８】
2005189684.tif 000010
【図９】
2005189684.tif 000011
【図１０】
2005189684.tif 000012
【図１１】
2005189684.tif 000013